(57)【要約】【課題】封印装置の使い勝手の向上と低コスト化。【解決手段】封印装置１０は、開放を検知するスイッチＳＷと、開放が検出されてから制限時間内に秘数１が入力されなければ異常開放と判定する判定手段（マイコンＱ１）と、異常開放と判定されるとコンデンサＣ２に異常開放を記憶させると共にＧ−ＬＥＤ、Ｒ−ＬＥＤ、スピーカＳに異常を報知させ、秘数２が入力されれば異常開放の記憶を消去させると共に異常の報知を終了させるが、秘数２が入力されなければ、電力が供給されなくても記憶を保持可能なコンデンサＣ２に異常開放の記憶を保持させる制御手段（マイコンＱ１）とを備える。操作は第１の暗証と第２の暗証を入力するだけであるから、使い勝手が向上する。また、高価なシステムを用いていないから低コスト化が可能になる。【選択図】  図１
2005004261.tif 000002
【特許請求の範囲】
【請求項１】
人の入出が想定されない筐体に配備される封印装置であって、
該筐体の開放を検知して開放信号を出力する開放信号出力手段と、
該開放信号が入力されてから制限時間内に第１の暗証が入力されなければ異常開放と判定する判定手段と、
前記判定手段により異常開放と判定されると電力が供給されなくても記憶を保持可能な長期記憶素子に異常開放を記憶させると共に報知手段に異常を報知させ、第２の暗証が入力されれば前記異常開放の記憶を消去させると共に前記異常の報知を終了させるが、第２の暗証が入力されなければ前記長期記憶素子に前記異常開放の記憶を保持させる制御手段と
を備えることを特徴とする封印装置。
【請求項２】
人が入出する筐体に配備される封印装置であって、
該筐体の開放を検知して開放信号を出力し閉鎖を検知して閉鎖信号を出力する開閉信号出力手段と、
第１の暗証又は外出信号が入力された後に前記開放信号又は閉鎖信号が入力されると作動して、その後に前記開放信号が入力されてから制限時間内に第１の暗証が入力されなければ異常開放と判定する判定手段と、
前記判定手段により異常開放と判定されると電力が供給されなくても記憶を保持可能な長期記憶素子に異常開放を記憶させると共に報知手段に異常を報知させ、第２の暗証が入力されれば前記異常開放の記憶を消去させると共に前記異常の報知を終了させるが、第２の暗証が入力されなければ前記長期記憶素子に前記異常開放の記憶を保持させる制御手段と
を備えることを特徴とする封印装置。
【発明の詳細な説明】
【０００１】
【発明の属する技術分野】
本発明は、筐体が開放された際に、それが正当な使用者等による開放か否かを判定して、不当な開放を報知することにより、筐体内の物品の例えば盗難、不正コピー、不正改造などの早期発見と早期かつ適切な対策を可能とし、ひいてはかかる不正を防止するための封印装置に関する。
【０００２】
【発明の背景及び従来の技術】
本発明が対象とする筐体とは、物品等を収容して閉鎖すれば、扉等を開けて筐体を開放しない限り内部の物品等を取り出しできなくなる筐体である。このような筐体は、人が入出することを前提としないもの、例えば金庫、ロッカー、机の抽斗、有扉の書棚等と、人の出入りを前提とするもの、例えば家屋、ビル内の各室、物置等とに区分できる。
【０００３】
金庫等の筐体に重要データの収まったフロッピーディスク、ＣＤ等を保管していても、筐体が開封されてデータをコピーされて元のままに戻されてしまえば、不正があったことすら気付かないことが起こり得る。図面や重要書類であれば、写真に撮られたり複写されれば同様である。
【０００４】
家屋やビルのオフィスでも、合い鍵を使用されたりいわゆるピッキング等の痕跡が残らない手口で侵入して、預金通帳や金品を盗んだ後に物色の痕が残らないようにきれいな状態にして逃げ去るので、例えば預金通帳を使おうとするまで被害に気付かないといった事件が多発している。もし、その被害が上述したコピーや写真による情報の窃取のみであれば、永久に気付かれない場合もある。
【０００５】
本件発明の封印装置が関連している防犯技術は、長い歴史もあるため種々の技術がある。大きく分ければ鍵に象徴される防御、防衛の技術と、発生した事態に速やかに対処するための技術がある。前者は指紋照合、瞳照合等と高度化しており、後者では警備保障システム、画像転送を用いた携帯電話利用の通報システム等が大きく進展している。また、本件出願人によって提案済みの、例えば特開平９−３４３６５号公報、特開平１１−１９０９７２号公報、特開平１１−２０２７６９号公報、特開平１１−２３１７９０号公報、特開平１１−２５８９９７号公報、特開平１１−２８３８９０号公報に開示された技術も在る。
【０００６】
【特許文献１】
特開平１１−２８３８９０号公報（段落００５０〜００８８、図３）
【０００７】
【発明が解決しようとする課題】
従来の、鍵を出発点とする技術は使い勝手を悪くすることがあり、例えば机の抽斗や書棚のように使用頻度が高い場面では、その煩雑さのために実質的に使えない（使わない）という問題点がある。
【０００８】
一方、指紋照合や瞳照合等の技術は、鍵のような煩雑さはないものの装置（システム）が高価で広く適用する上ではコスト的な問題があった。警備保障システム等でもコスト的な問題は大きい。
このような問題に対処するための本発明は、使い勝手を悪くしないまま防犯性能を向上させ、金庫等の錠付きの筐体はもとより、通常では錠が付いていない書棚や机の抽斗等にまで適用可能で、異常があれば速やかに報知することで結果的に犯罪を防ぐ技術を提供するものである。
【０００９】
従来の防犯技術は、会社なら従業員には、家庭では家族には不正を行う者はいないことを前提として成り立っているが、残念ではあるがその前提が崩れたと言っても過言ではない社会状況である。本発明は、簡単操作で、対象を書棚等まで広げても作業性を低下させず、異常に対して光や音等で速やかに報知することにより、悪意の行為を防ぐものである。特に、情報のみを盗るような、痕跡を残さない犯罪行為に対処するに効果的である。
【００１０】
【課題を解決するための手段および発明の効果】
請求項１記載の封印装置は、人の入出が想定されない筐体、例えば金庫、戸棚、机の抽斗等に配備される封印装置であって、
該筐体の開放を検知して開放信号を出力する開放信号出力手段（例えば開放によってオンされ、閉鎖でオフになるスイッチＳＷ）と、
該開放信号が入力されてから制限時間内に第１の暗証が入力されなければ異常開放と判定する判定手段（例えばマイコンＱ１、Ｑ５）と、
前記判定手段により異常開放と判定されると電力が供給されなくても記憶を保持可能な長期記憶素子（例えばコンデンサＣ２、ＥＥＰＲＯＭ）に異常開放を記憶させると共に報知手段（例えばＧ−ＬＥＤ、Ｒ−ＬＥＤ、スピーカＳ）に異常を報知させ、第２の暗証が入力されれば前記異常開放の記憶を消去させると共に前記異常の報知を終了させるが、第２の暗証が入力されなければ前記長期記憶素子に前記異常開放の記憶を保持させる制御手段（例えばマイコンＱ１、Ｑ５）とを備えるので、筐体が開放されたことを検知でき、その開放信号から制限時間（固定されていてもよいし、使用者が適宜時間に設定可能であってもよい）を経過するまでに第１の暗証が入力されなければ異常開放と判定して（判定手段）、長期記憶素子（例えばコンデンサＣ２、ＥＥＰＲＯＭ）に異常開放を記憶し、報知手段（例えば光や音声等を出力する手段）にて異常を報知できる。
【００１１】
暗証（第１の暗証も第２の暗証も）は、数字、アルファベットや仮名等の文字、数字と文字との組合せ等によるコードであり、その構成（数字であるか文字であるかこれらの組合せであるかなど）に制限はない。ただし、数字の組合せにすればテンキーを備える入力手段（例えばテンキースイッチＴ−ＳＷ）で入力できるので、使い勝手を悪くせず、高価にしないことを目的にした本発明に好適である。
【００１２】
異常開放を記憶するための長期記憶素子は、コンデンサやＥＥＰＲＯＭのように記憶保持に電源を必要としない形式であれば、特に限定されない。
長期記憶素子の異常開放の記憶は、第２の暗証を入力すれば消去される。
異常の報知は（報知動作の少なくとも一部、例えば音と光を用いる場合なら、その一方は）第２の暗証が入力されれば終了するが、そうでなければ、例えば外部電源が空になるまで継続する。この異常の報知は、第２の暗証を入力して終了させることができる。
【００１３】
つまり、異常開放が発生しても第２の暗証を入力すれば、その状態から異常なし状態に復帰する。
第２の暗証によって異常状態を解除可能な期間ないし条件を設けてもよい。この期間は、例えば時間的な制限（判定手段による異常開放の判定から何分以内）でもよいし、第２の暗証（正しい）ではない入力操作（例えば間違った第２の暗証の入力、第２の暗証のための操作とは異なる操作）が制限回数になるまでというように設定してもよい。また、時間的な制限と正しくない入力操作の回数でＯＲ条件（どちらか一方で解除可能な期間が終了する）にしてもよい。
【００１４】
第２の暗証が入力されずに、例えば正しくない入力操作の回数が制限回数になって解除可能な状態が終了すれば、電力が供給されなくても（外部電源も内部電源も断にされたとしても）記憶を保持可能な長期記憶素子（例えばコンデンサＣ２、ＥＥＰＲＯＭ）に異常開放の記憶を保持させる。
【００１５】
電力が供給されなくても（外部電源も内部電源も断にされたとしても）異常開放の記憶が長期記憶素子に保持されるから、電源を与えて異常開放の有無を確認できる。その確認の手段としては、異常開放の記憶が長期記憶素子に保持されていれば、制御手段が報知手段を作動させる構成にすればよい。
【００１６】
当然ながら使用者は第１の暗証も第２の暗証も知っているから、自分で筐体を開放したときには、第１の暗証を入力して異常開放と判定させなければよいし、入力を怠って又は失敗して異常開放と判定されても第２の暗証で異常を解除できる。
【００１７】
つまり、第１の暗証又は第２の暗証で異常から復帰させることができないのは、使用者以外による開放（故意であるか否かを問わず）であるから、使用者はかかる開放が行われたことを容易に知ることができ、しかるべき対策をとることもできる。
【００１８】
操作は第１の暗証と第２の暗証を入力するだけであるから、使い勝手が向上する。
また、使用者は第１の暗証の省略で発生する異常を第２の暗証を意識的に入力させずに放置することで、煩雑さを排除し、使い勝手の向上を重視した使い方を選択した（休止状態）後、第２の暗証で異常を解除し通常の監視状態に切り替えられるため状況に応じた使い分けで防犯性と利便性の両立という効果がある。
【００１９】
また、指紋照合や瞳照合等の技術のように高価なシステムを用いていないから低コスト化が可能になる。
請求項２記載の封印装置は、人が入出する筐体（例えば家屋、オフィス、物置など）に配備される封印装置であって、
該筐体の開放を検知して開放信号を出力し閉鎖を検知して閉鎖信号を出力する開閉信号出力手段と、
第１の暗証又は外出信号が入力された後に前記開放信号又は閉鎖信号が入力されると作動して、その後に前記開放信号が入力されてから制限時間内に第１の暗証が入力されなければ異常開放と判定する判定手段と、
前記判定手段により異常開放と判定されると電力が供給されなくても記憶を保持可能な長期記憶素子に異常開放を記憶させると共に報知手段に異常を報知させ、第２の暗証が入力されれば前記異常開放の記憶を消去させると共に前記異常の報知を終了させるが、第２の暗証が入力されなければ前記長期記憶素子に前記異常開放の記憶を保持させる制御手段と
を備えている。
【００２０】
筐体の開放（例えばドアの開放）を検知して開放信号を出力し閉鎖（例えばドアの閉鎖）を検知して閉鎖信号を出力する開閉信号出力手段は、例えばドアの開放によってオンされ閉鎖によってオフにされるスイッチＳＷを用いればよい。この場合、スイッチＳＷのオンで信号が発生する（例えばハイレベルになる）のが開放信号の出力に該当し、オフで信号が途絶える（ローレベルになる）のが閉鎖信号の出力に該当する。
【００２１】
判定手段は、第１の暗証又は外出信号が入力された後に開放信号又は閉鎖信号が入力されると作動する。つまり、外出などに先立って第１の暗証（又は外出信号）を入力してドアを開けるか、ドアを開けてから第１の暗証（又は外出信号）を入力して閉めるかすれば判定手段が作動する。判定手段は、このドアの開閉を異常開放とは判定しない。つまり、判定手段は、第１の暗証又は外出信号の入力を伴うドア操作は、異常と判定しない（或いは判定の対象としない）ということである。これにより、例えば家屋の住人（筐体の使用者）の外出が異常開放と判定されるのを防止できる。
【００２２】
判定手段は、第１の暗証又は外出信号の入力を伴う例えばドア操作で筐体が閉鎖された後に開放信号が入力されてから制限時間内に第１の暗証が入力されなければ異常開放と判定する。
制御手段は、判定手段により異常開放と判定されると長期記憶素子に異常開放を記憶させると共に報知手段に異常を報知させ、第２の暗証が入力されれば前記異常開放の記憶を消去させると共に異常の報知を終了させるが、第２の暗証が入力されなければ長期記憶素子に異常開放の記憶を保持させる。
【００２３】
長期記憶素子、報知手段、第１の暗証、第２の暗証、判定手段の動作、制御手段の動作等は請求項１の封印装置と同様であるから、詳しい説明や例示等は省略するが、請求項１の封印装置と同様に、操作は第１の暗証と第２の暗証を入力するだけであるから使い勝手が向上し、指紋照合や瞳照合等の技術のように高価なシステムを用いていないから低コスト化が可能になる。
【００２４】
【発明の実施の形態】
次に、本発明の実施の形態を各種の具体例にて説明する。なお、以下の各例では説明を判りやすくするために部品定数などの数値、ディバイスの部品名などを具体的に開示するが、あくまでも例示であり、本発明はこれら具体的な数値等に限定されるわけではない。
【００２５】
【実施例１】
まず図１を参照して、封印装置１０の回路構成を説明する。
図中Ｅで示す外部電源は例えば１．５Ｖ乾電池４本で６Ｖである。Ｄ１は逆流防止のダイオード、Ｃ１は内部電源となるコンデンサである。なお、本例ではコンデンサを使用しているが、内部電源のコンデンサＣ１は、充電可能な電池又は電気２重層コンデンサのような静電容量値の大きなコンデンサが用いられる。
【００２６】
Ｑ１は判定手段及び制御手段となるマイコンであり、内部にＣＰＵ、ＲＯＭ、ＲＡＭ等を含む周知の構成である。マイコンＱ１は、スイッチＳＷの信号、テンキースイッチＴ−ＳＷの信号、ノイズアンテナの信号を受け入れ、表示部ＤＩＳＰに表示信号を、報知手段となるスピーカＳの増幅器ＡＭＰにＯＴＯ信号を出力する。また、それぞれの詳細は後述するが、Ｃ−ＭＯＳバッファＱ２に対してｃｈａｒｇｅ信号を出力、Ｃ−ＭＯＳバッファＱ３に対してＤｉｓｃｈａｒｇｅ信号を出力し、トランジスタＴｒ１からはＤｏｎｔ−Ｄｉｓ信号を入力する。
【００２７】
表示部ＤＩＳＰは液晶表示器であるが、他の形式の表示器を使用することもできる。
テンキースイッチＴ−ＳＷの構成は図２に示すとおりで、０〜９の数字キー、秘数１キー、秘数２キー、音時キー及び実行キーが備わっている。また、封印装置１０が家屋の玄関ドアなどに付設される場合に外出スイッチが設けられることがある。
【００２８】
Ｃ−ＭＯＳバッファＱ２は、入力端子ＩＮがマイコンＱ１のＣｈａｒｇｅ端子に、電源端子ＶＤＤがコンデンサＣ１のプラス極に、ＶＳＳがコンデンサＣ１のマイナス極（以下、「グランド」という）にそれぞれ結ばれ、出力端子ＯＵＴがダイオードＤ２を介してコンデンサＣ２のプラス極に結ばれている。
【００２９】
Ｃ−ＭＯＳバッファＱ３は、入力端子ＩＮがマイコンＱ１のＤｉｓｃｈａｒｇｅ端子に、電源端子ＶＤＤがコンデンサＣ２のプラス極に、ＶＳＳがグランドにそれぞれ結ばれ、出力端子ＯＵＴは抵抗Ｒ４を介してグランドに結ばれている。
Ｃ−ＭＯＳインバータＱ４は、入力端子ＩＮがコンデンサＣ２のプラス極に、電源端子ＶＤＤが抵抗Ｒ１、Ｒ２（詳細後述）の中点に、ＶＳＳがグランドにそれぞれ結ばれ、出力端子ＯＵＴはベース抵抗内蔵型のトランジスタＴｒ１、Ｔｒ２、Ｔｒ３の内、トランジスタＴｒ１、Ｔｒ２のベースに結ばれている。
【００３０】
抵抗Ｒ１、Ｒ２、Ｒ３はＣ−ＭＯＳインバータＱ４の電源電圧及びバイアス電圧を発生させるために設けられている。Ｒ１＝１ｋΩ、Ｒ２＝３６０Ω、Ｒ３＝９１Ωで、コンデンサＣ１の電位が５．４ＶのときにＣ−ＭＯＳインバータＱ４のＶＤＤに約２Ｖを与える設定である。抵抗Ｒ２と抵抗Ｒ３の中点は、コンデンサＣ２のマイナス極に結ばれ、約０．４Ｖのバイアス電圧を与える。すなわち、コンデンサＣ２の両端の電位差が例えば１Ｖのときは、１＋０．４＝１．４ＶがＣ−ＭＯＳインバータＱ４のＩＮに印加されるように作られている。
【００３１】
トランジスタＴｒ１のベースは前述したが、コレクタは抵抗Ｒ５を介してコンデンサＣ１のプラス極に結ばれると共にマイコンＱ１のＤｏｎｔ−Ｄｉｓ端子に結ばれ、エミッタはグランドに結ばれる。
トランジスタＴｒ２のベースは前述したが、コレクタはトランジスタＴｒ３のベース及び抵抗Ｒ８、Ｒ６を介して外部電源Ｅのプラス極に結ばれると共に、報知手段であるＧ−ＬＥＤのカソードと結ばれ、エミッタはグランドに結ばれている。Ｇ−ＬＥＤのアノードは抵抗Ｒ６、Ｒ８の中点に結ばれており、抵抗Ｒ８はトランジスタＴｒ３のベース電流が流れてＧ−ＬＥＤが発光するのを防ぐ目的で設けられている。
【００３２】
トランジスタＴｒ３のベースは前述したが、コレクタは報知手段であるＲ−ＬＥＤのカソードと結ばれ、エミッタはグランドに結ばれている。Ｒ−ＬＥＤのアノードは抵抗Ｒ７を介して外部電源Ｅのプラス極に結ばれている。
なお、図中点線Ａで囲まれた領域のプリント基板（図示しない）と電子部品は、例えば樹脂のディップモールド等により導電部分が露出しないように作られており、不正に耐える加工が施されている。
【００３３】
また、表示部ＤＩＳＰと報知手段（Ｇ−ＬＥＤ及びＲ−ＬＥＤ）の一方は省略されることがある。
［使用例１］
封印装置１０は、例えば図３（ａ）に示すような形態であり、ケース１１の外面にはテンキースイッチＴ−ＳＷ、表示部ＤＩＳＰ、Ｇ−ＬＥＤ及びＲ−ＬＥＤが配され、図１に示した構成の大部分（これら外面に装着されている以外）はケース１１に収容されている。
【００３４】
この封印装置１０は、机１３の抽斗１４内に、例えば両面テープ等を用いて位置ずれしないように装着されている。その抽斗１４の中には、机１３の使用者意外には秘密扱いの書類１６が仕舞われている。
なお、スイッチＳＷとしてリードスイッチが用いられており、机１３の本体側内面に両面テープ等で取り付けられた磁石が、抽斗１４の開閉毎にリードスイッチをオン、オフさせる。磁石方式は、超強力な他の磁石を近づけて開閉すると不感にされる欠点もあるが、ここではスイッチの形式は問わない。
【００３５】
机１３が置かれている環境は、机１３の使用者（以下、本人）と同室の作業者（同僚）が例えば１０名程働いている。本人は、その内容を他人（同僚も含めて）に見られたくない作業を行っているが、来客も多くて頻繁に席を離れることがあり、当該作業に関わる書類１６をその都度抽斗１４に仕舞う必要がある。
【００３６】
詳細な説明に先立って、封印装置１０の概要を説明する。
封印装置１０には、秘数１（第１の暗証に該当）と秘数２（第２の暗証に該当）とが記憶されている。これら秘数１、２は、封印装置１０の入手時に本人が入力して記憶させたものである。
【００３７】
使用に当たっては、抽斗１４を開く毎に秘数１の入力が必要となり、秘数１の入力を伴わない抽斗１４の開放に対してはＧ−ＬＥＤ又はＲ−ＬＥＤとスピーカＳによって異常が報知される。ただし、本人は秘数２を入力して異常を解除でき、使い勝手の向上として利用できる。しかし、秘数２が正しく入力されない解除操作（つまり秘数２を知らない者の解除操作）が設定回数行われると異常の解除が不能となる。一旦この状態になると、たとえ正しい秘数２を入力しても異常の解除はできず、長時間（例えば４８時間以上）放置する以外には解除できないという機能を有する。つまり、使い勝手の良さと不正に対する耐性の高さとを備えている。
【００３８】
なお、秘数１と秘数２とを同一の数値として本人が記憶するのを簡単にしてもよい。ただし、例えば秘数１を１桁、秘数２を８桁というように区別した方が、使い勝手が良く、防犯性が高い。
さて、図１、図３、図４を用いて詳しく説明する。
【００３９】
まず、電池Ｅを入れて緑のＧ−ＬＥＤの点灯を確認する。なお、Ｇ−ＬＥＤが点灯していないときは、封印装置１０にデータを記憶させることができない（詳細は後述）。
次に、テンキースイッチＴ−ＳＷを用いて秘数１、秘数２及び警報時間をセットする。秘数１のセットは、秘数１キーを操作（以下、キー操作は［秘数１］のように記述する。）、秘数１として設定する［任意数値］の入力、［実行］と操作し、表示部ＤＩＳＰに入力した数値が数秒間点滅表示されてから、例えば「オボエマシタ」の表示がなされるのを待つ。これで秘数１が封印装置１０に記憶された。同様に、［秘数２］、［任意数値］、［実行］とキー操作することで秘数２をセットする。また、［音時］、［任意数値］、［実行］のキー操作で警報時間（警報音の継続時間）をセットする。なお、ここで数値０をセットした場合は時間０、すなわち無音であり、数値９９９以上は警報音を停止しないと扱われる。
【００４０】
本例では、筐体（ここでは抽斗１４）が開かれてから１０秒以内に秘数１が入力されるか否かで正常は否かを判定する構成として説明するが、１０秒という固定値ではなく、本人が望む数値を秘数１等と同様の手順で記憶させることも可能である。
【００４１】
なお、上記の入力と記憶に関する技術は公知であるから、ここでは説明を省略する。
次に、図４（タイミングチャート）を参照して、詳細な動作を説明する。このタイミングチャートに示すＳＷ、秘数１、秘数２、Ｄｏｎｔ−ＤｉｓがマイコンＱ１への入力であり、ＳＷエッジ化信号はマイコンＱ１内で作成される信号である。Ｃｈａｒｇｅ、Ｄｉｓｃｈａｒｇｅ、ＯＴＯはマイコンＱ１の出力信号であり、Ｇ−ＬＥＤ、Ｒ−ＬＥＤは表示出力、Ｃ２電位は長期記憶素子であるコンデンサＣ２の電位状態を示す。
【００４２】
また、Ｍ１、Ｍ２、Ｍ３、Ｍ４は動作モードを説明する区分であり、Ｍ１は正常動作、Ｍ２は異常発生はあるが正常復帰できる動作、Ｍ３は異常発生を検知し復帰が実質的に不可能な動作、Ｍ４は外部電源を断にして復帰させても異常を解除できないという、不正に対する耐性の高さを説明するための部分である。
【００４３】
さて、詳しい動作説明であるが、ここでは説明が煩雑になるのを避けるために秘数１は３、秘数２は７、音時は１０（１０秒）、机１３の使用環境は前述のとおりとして説明する。
まずＭ１の区間である。使用者本人は、来客への応対で処理中の書類１６を仕舞うために抽斗１４を開け、［３］、［実行］のキー操作を開放から１０秒以内で行って、抽斗１４を閉めた。秘数１が制限時間内に入力され、それが正しい数値であったから、マイコンＱ１の出力Ｃｈａｒｇｅは生ぜず、Ｇ−ＬＥＤがオン（点灯）以外の出力は出ない。図４には、抽斗１４の開閉を１回だけしか示していないが、この動作は何回も繰り返される。
【００４４】
ところで、ＳＷエッジ化信号を用いるのは、抽斗１４が開いているとか閉じているという状態を見るのではなく、開かれたという変化を見るためであり、１０秒以内に元の閉じた状態に戻しても検知されるのである。
本人が席を離れている間に、特別な急用でもあって、本人ではなく同僚が抽斗１４を開いたとしてＭ２の区間を説明する。
【００４５】
この場合、秘数１の入力がなされないので、当然１０秒後にはマイコンＱ１でＣｈａｒｇｅ信号が発生する（ハイレベルになる、以下ハイレベルを「Ｈ」で表す）（イ）。
図１の回路でＣ−ＭＯＳバッファＱ２はＩＮにＨを受けると、コンデンサＣ１から電源端子ＶＤＤを経てＯＵＴ端子からダイオードＤ２を介し、コンデンサＣ２、抵抗Ｒ３のループでコンデンサＣ２を充電する（ロ）。Ｃ−ＭＯＳインバータＱ４の入力がＨになったことから、その出力はＬ（ローレベル）となるので、トランジスタＴｒ２はオフとなってＧ−ＬＥＤは消灯し（ハ）、トランジスタＴｒ２のオフに伴って上昇したコレクタ電位がトランジスタＴｒ３をオンさせてＲ−ＬＥＤが点灯する（ニ）。また、トランジスタＴｒ１もオフにされたことから、そのコレクタもＨになり、マイコンＱ１のＤｏｎｔ−Ｄｉｓ入力端子もＨとなって（ホ）、新たに秘数１、秘数２、音時をセットしなおす機能が停止される。なお、音の信号ＯＴＯはマイコンＱ１から増幅器ＡＭＰを通してスピーカＳへと出され、スピーカＳが鳴動（警報音を発生）する。
【００４６】
警報音がセットされた１０秒間鳴るので、びっくりした同僚の連絡を受けて席に戻った本人が［７］、［実行］のキー操作で秘数２を入力した（ト）。マイコンＱ１は秘数２を受け付けたのでＤｉｓ−ｃｈａｒｇｅを出力する（チ）。
図１の回路でＣ−ＭＯＳバッファＱ３の入力端子ＩＮにマイコンＱ１のＤｉｓ−ｃｈａｒｇｅのＨ信号が入り、同時にマイコンＱ１によりＣｈａｒｇｅの出力がＬにされると（リ）、
コンデンサＣ２の電荷はＣ−ＭＯＳバッファＱ３の電源端子ＶＤＤから出力ＯＵＴ、抵抗Ｒ４、Ｒ３のループで放電してしまいコンデンサＣ２の電圧は低下し（ヌ）、Ｃ−ＭＯＳインバータＱ４の入力もＬとなる。その結果、Ｃ−ＭＯＳインバータＱ４の出力はＨとなって、トランジスタＴｒ１、Ｔｒ２をオンにトランジスタＴｒ３をオフにする。したがって、Ｒ−ＬＥＤは消灯、Ｇ−ＬＥＤが点灯し、マイコンＱ１のＤｏｎｔ−Ｄｉｓ端子はＬとなって（ル）、秘数等の再設定が可能になる（設定禁止の解除。
【００４７】
次に、Ｍ３の区間で異常発生と復帰不能のモードを説明する。
夜になり、同僚たちも全員帰り、翌朝も自分が一番早い出勤であろうと考え、また通勤途中で紛失した場合のことも考えて、本人は、書類１６を錠の無い机１３の抽斗１４に仕舞った。ただし、封印装置１０のセット条件は、秘数１は４桁、秘数２は８桁、音時は９９９の止められない状態にそれぞれセットして帰宅した。
【００４８】
翌朝出勤した本人は、警報音が鳴っているのに驚き、急ぎ机１３の側に行って確認すると、書類１６は残っていたが位置がずれているように感じられた。不在中のことであるから確定はできないが、次のようなことが起こったと考えられる。（１）誰かが抽斗１４を開けた。（２）秘数１が判らないので１０秒後にＲ−ＬＥＤが点灯し警報音が鳴った。（３）秘数２で解除しようと試みたか否かは判らない。（４）警報音に驚いたはずだが、書類１６を写真に撮ったりコピーしたかは判らない。
【００４９】
異常を検知した際の封印装置１０の動作は前述のＭ２と同様であるから説明は省略する。
このＭ３において重要なことは、秘数２の入力操作は、上限のＮ回（本例では３回）まではマイコンＱ１が正常に受け付けて正しいか否かの判定を行うが、それ以上は、たとえ入力操作を行っても受け付けないという機能をマイコンＱ１が有していることである。このような動作はマイコンＱ１のソフトで簡単にできるし、物品としても公知であるから詳しくは説明しない。
【００５０】
上記（３）で秘数２で解除しようと試みたか否かは不明としたが、秘数２を知っている本人が入力してみれば確認できる。すなわち、秘数２を入力しても異常状態を解除できなければ誰かが秘数２での解除を試みた、つまり侵入者があったことが確定する。一方、解除できたときには、万万が一の封印装置１０の不具合であるか、又は秘数２での解除操作を試みなかった（試みが上限のＮ回未満だった）場合である。いずれにしろ、書類１６は見られた（コピー等された）と判断すべきであり、秘密の内容が知られたと判断してしかるべき対策が必要であることを知らせている。情報時代の防犯とはこのようなものと考えられる。
【００５１】
次に、Ｍ４の区間で外部電源の断と復活に関するモードについて説明する。
上述のＭ３の区間で侵入者がいかなる行動をとったかは不明であるが、以下のことが考えられる。
ａ）予め封印装置１０が装備されていることを知っていて新しい代品（量産品なら外観も同じものを入手可能）を持ち込んでおり、犯行後に取り換える。この行為が行われたとしても、本人が秘数１を入力しても異常が発生するので、簡単に発見できる。
ｂ）外部電源Ｅを切る。
【００５２】
本例の外部電源Ｅは乾電池であり、取り外せば警報音もＲ−ＬＥＤの表示も直ちに止まる。しかし、内部電源であるコンデンサＣ１がダイオードＤ１により逆流防止された状態で入っていることと、図１のＡの領域が樹脂のディップモールド等で強固に保護されているため、内部電源を断にすることはできない。勿論、小型化を望めば内部電源の容量はあまり大きくはできない。そこで、電圧降下が生じた場合を説明する。
【００５３】
内部電源のコンデンサＣ１が空になって、マイコンＱ１の機能も停止したとする。このときでもコンデンサＣ２の電荷はほとんど逃げないことが重要である。Ｃ−ＭＯＳインバータＱ４（例えばＴＣ７ＳＨ０４Ｆ）の入力電流は、電源電圧ＶＤＤが０Ｖの時でさえ０．１μＡ以下であり、かつＣ−ＭＯＳバッファＱ３（例えばＴＣ７ＳＨ０８Ｆ）は入力がＬの時は電源端子ＶＤＤを流れる電流はカタログ上の最大値でも２μＡ以下であり、通常の製品は０．１μＡ以下である。すなわちコンデンサＣ２の電荷はきわめて長時間保持されるということである。
いまコンデンサＣ２を０．０３３Ｆ（ファラッド）の電気２重層コンデンサとして、上記Ｃ−ＭＯＳインバータＱ４、Ｃ−ＭＯＳバッファＱ３による漏れ電流の合計を０．２μＡとする。漏れ電流を抵抗値で置き換えるためコンデンサＣ２の電圧を２Ｖと仮定すると、２Ｖ／０．２μＡ＝１０ＭΩと考えてもよい。０．０３３Ｆのコンデンサと１０ＭΩの抵抗の作る時定数は、０．０３３×１０７ｓｅｃであり、３．３×１０５／３．６×１０３時間で約９２時間となる。電気２重層コンデンサは直径１０ｍｍ、厚さ５ｍｍ程で静電容量値が上記例の１０倍大きなものも入手可能であり、一桁上の長時間化も可能である。
【００５４】
また、図１の回路図には更なる長時間の異常記憶に関する技術が示されている。それは、Ｃ−ＭＯＳインバータＱ４の電源電圧を抵抗Ｒ１と抵抗Ｒ２の分割で低くして与えていること（図示は２Ｖ）、さらに抵抗Ｒ３を用いることでコンデンサＣ２の電位にバイアス（図示は０．４Ｖ）を加えることである。
【００５５】
Ｃ−ＭＯＳゲート（Ｑ４は、トランジスタＴｒ１、Ｔｒ２、Ｔｒ２等の構成を考えればバッファでもよいので、ここではゲートと記す。）は、良く知られているように電源電圧の１／２の入力電圧でその出力がＬ、Ｈ反転する。いまＣ−ＭＯＳインバータＱ４の電源端子ＶＤＤに内部電源Ｃ１のままで与えると、コンデンサＣ２の電位すなわちＣ−ＭＯＳインバータＱ４の入力電圧が２．７Ｖまで低下するとＬ入力と判定し、Ｈを出力する。ところが、図示のように２Ｖ電源で作動させると、入力電圧がその１／２である１Ｖまで低下した時点でＬ入力と判定し、Ｈを出力する。
【００５６】
また、抵抗Ｒ３の電圧０．４Ｖをバイアスしているから、コンデンサＣ２の電位が０．６Ｖ（０．４＋０．６＝１．０Ｖ）まで低下する、長い時間の後にＬ、Ｈが反転することになり、コンデンサＣ２はきわめて記憶時間が長い記憶素子として機能する。すなわち、比較的消費電流の大きいマイコンＱ１のために内部電源Ｃ１が空になってもコンデンサＣ２の記憶は消えないことをＭ４−３は示している。
ｃ）もともと封印装置１０には秘数１、秘数２をセットできる機能があるのだから再設定すればよいと考えての行動。
【００５７】
マイコンＱ１内のプログラムにはＤｏｎｔ−Ｄｉｓ端子がＬのときのみ秘数１等のセット作業を実行せよという分岐条件を設けてあるので（先に、Ｇ−ＬＥＤの点灯を確認してセット作業を実行すると記したことと同意）、外部電源Ｅを入れたり切ったりしてマイコンＱ１に揺さぶりを与え、［秘数２］、［任意数値］、［実行］で侵入者の好きな秘数２をセットする行為は不可能である。
【００５８】
いま少し詳しく説明すると、Ｄｏｎｔ−ＤｉｓのＭ４−１の電位は徐々にではあるが低下し、コンデンサＣ１が空になれば０Ｖである。しかし、外部電源Ｅを与えれて、コンデンサＣ１の電圧が上昇しマイコンＱ１が動作可能になるときには、トランジスタＴｒ１のコレクタにも電圧が加わる。ここでコンデンサＣ２の電荷が一定以上残っている限り、Ｃ−ＭＯＳインバータＱ４の出力はＬ、すなわちトランジスタＴｒ１のコレクタはＨであり、Ｄｏｎｔ−Ｄｉｓ端子にＨを与える（ヲ）。マイコンＱ１のプログラムが、まずＤｏｎｔ−Ｄｉｓ端子のＬ、Ｈを判定してから作動するよう作られていることから、上記秘数２のセットは不可能である。
ｄ）図１に示されるとおり、本例はマイコンを含む電子回路であるから、電子ライターの改造品のような強力な火花放電とか静電気ショックで異常を解除することも試みられる。
【００５９】
図１から明らかなように、偶然にもＤｉｓｃｈａｒｇｅ出力端子にＨが出るようにノイズが加われば異常を解除できる。
しかし、通常はプログラムの作り方やハード的なノイズ対策で防ぐことができるし、図１に示すようにノイズに敏感なノイズアンテナを設け、ノイズの受信時にはノイズ時プログラム（閉ループを走行させ、他のプログラム＝正規作業プログラムを走行させない方法）で、上記のＤｉｓｃｈａｒｇｅ出力端子にＨが出ても防止できる。
ｅ）破壊する。
【００６０】
知恵で駄目なら力でと、破壊してしまう。特に、樹脂で保護されている領域（図１のＡ）を削り、コンデンサＣ２を強制的に放電させる。この手段には抗いがたい。しかし、封印装置１０が開封されたことは簡単に知ることができる。
ｆ）復活
異常が発生して秘数２での解除に失敗した封印装置１０は再使用が不可能なわけではない。例えば４８時間とかの長い時間が経過してコンデンサＣ２の電位がＬと認められるときに（図４のＭ４−４）外部電源Ｅ又はコンデンサＣ１による内部電源が与えられていればトランジスタＴｒ１からのＤｏｎｔ−Ｄｉｓ信号はＬになるから（ワ）、新たに秘数１、秘数２、音時をセットして新規に使うことができる。
【００６１】
以上が封印装置１０を抽斗１４に設置した場合の説明であり、筐体が図３（ｂ）に示す金庫１７や同（ｃ）に示す戸棚１８でも、封印装置１０の動作、機能は同様である。
［使用例２］
筐体が家屋２０の場合を使用例２として説明する。
【００６２】
封印装置１０は、図５に示すように家屋（例えば玄関）の内部に設置され、スイッチＳＷはドア２１の開閉にてオン、オフされる。
操作する人間すなわち住人等が外から中に入る場合は使用例１と同様に考えてよい。
【００６３】
住人が中から外へ出る場合には、普通は秘数１をセットした後、ドア２１を開けて外出するが、時には秘数１をセットしてドア２１を開けてから外出を取りやめることもある。また、ドア２１が開いている状態で秘数１等をセットして、ドア２１を閉めて出かけるというケースもあり得る点等に注意を必要とする。
【００６４】
図６に示すタイミングチャートでは、秘数１の入力のタイミングとドア２１の開閉のタイミング部分が図４とは異なる。
今、外出しようとして、秘数１をセットしたとする。そのセットのタイミングは、ドア２１の開閉の直前でもよいし、セットしてから用事を思い出したりしてドア２１の操作までにかなりの時間を経過していてもよい。また、ドア２１が閉じた状態でセットすることもあるし、ドア２１が開いた状態でセットすることがあってもよい。
【００６５】
図６のＭ１に示す１回目のスイッチＳＷの変化は、実線がドア２１を閉じた状態で秘数１をセットし、ドア２１を開けて外に出てから閉じたことを、破線はドア２１を開いた状態で秘数１をセットし、外に出てドア２１を閉じたことを示している。
【００６６】
ドア２１の開閉に応じたスイッチＳＷの信号が入力されるとマイコンＱ１の中で開エッジ化信号と閉エッジ化信号が作られる。セットされた秘数１は、ドア２１の操作が正常であることを示す役割を果たしたので、開エッジ化信号又は閉エッジ化信号で消滅するように作られており、この秘数１の消滅に伴って封印装置１０は監視状態に入る。
【００６７】
なお、外出に伴う監視開始のセットを秘数１で行うと説明したのは、部材の増加を避け、マイコンＱ１が記憶する事項を少なくするのが目的であるが、テンキースイッチＴ−ＳＷに図２に示した外出スイッチを設けて、外出スイッチのオン操作を［秘数１］、［実行］のキー操作と同じ働きとできる。外出スイッチの信号は、図６に外出信号として示される。
【００６８】
次に、外出から帰り、ドア２１の開閉で家屋２０に入ると、Ｇ−ＬＥＤが点灯しているから異常なしを確認できる。また、開エッジ化信号の発生から１０秒以内（任意に設定可）に秘数１が入力されたので正常であった。
次のＭ２の区画は、秘数１が入力されなくて異常が発生したが正常復帰した場合を示す。このような異常は、秘数１をセットせずにドア２１を操作して外出した場合には帰宅時に発生するが、ここでは秘数１を正しくセットして外出したが、その外出中に封印装置１０のことを知らない訪問者（例えば嫁いだ娘）がドア２１を開けたものの秘数１を入力しなかった例で説明する。
【００６９】
図４のＭ２区間と同様、１０秒間警報音が発生し、Ｇ−ＬＥＤがＲ−ＬＥＤに変わっていたが、秘数２による異常解除の試みなはなかったとする。
ここで、秘数１と秘数２のキー操作手順は、共に［数値］、［実行］という点で同じである。このため、秘数１が判らないので入力できずに１０秒経過し、その後秘数１のつもりで［数値］、［実行］のキー操作を３回繰り返してしまうと、図４のＭ３区画で説明したように、復帰不能状態に入る。このような事態を避けるために、秘数２を入力するためのキー操作手順を、例えば［秘数２］、［数値］、［実行］のように、秘数１のキー操作手順とは異ならせてもよい。
【００７０】
さて、今回は秘数２による解除動作（３回まで試行可）が行われていない例であるから、外出から帰った本人が［数値］、［実行］のキー操作で秘数２を入力して異常は解除され、Ｒ−ＬＥＤは消灯し、Ｇ−ＬＥＤが点灯した。
次のＭ３〜Ｍ４の区画は、異常が発生して復帰不能になった例を示す。
【００７１】
図４のＭ３とよく似ているが、この例では２日間の旅行に出かける際に、音時を９９９（警報音停止なし）、秘数１も秘数２も４〜８桁の判りにくい数値にそれぞれセットしておいた。
その旅行先に隣人から、警報音がしたので見たところドア２１の錠が開けられていたとの連絡があった。警察にも連絡済みではあるが帰って欲しいというので帰宅した。
【００７２】
帰宅して調べてみると何も盗られてはいないようだが、封印装置１０は解除を図ったのか、いろいろと触ったようで秘数２を入力しても異常の解除ができない状態であった。
外部電源Ｅを外して４日程放置してから再び外部電源Ｅを入れるとＧ−ＬＥＤが点灯した（コンデンサＣ２の電位が下がった）ので、秘数１、秘数２、音時のデータを再入力して再使用している。
【００７３】
以上が封印装置１０を家屋２０に設置した場合の動作状態の説明である。
なお、使用例１（図４）、使用例２（図６）では、筐体を開けてから１０秒以内に秘数１の入力があるか否かで説明したが、この制限時間は、例えば秘数１を記憶させるのと同様の手順にて使用者が変更（設定）可能に構成できることは言うまでもない。また、マイコンＱ１に時計機能を持たせて、異常発生時刻やその他のイベント発生時刻を記憶可能にできることも明らかである。
【００７４】
【実施例２】
次に、開封記憶手段としてＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）を用いる実施例を、図７、図８により説明する。
図７に封印装置３０の回路図を示す。この封印装置３０では、ＥＥＰＲＯＭを備えたマイコンＱ５を用いている。また、実施例１（図１）と同符号で示した部品は実施例１と同一であり、図１との対比で図７に記載されていないものは省略できることを示す。なお、破線Ａで囲まれた領域は実施例１と同様に樹脂のディップモールド等で保護されている。
【００７５】
マイコンＱ５には、ＣＰＵ、動作を決定するプログラムが格納されたＲＯＭ、プログラム実行中にデータの書き込み、読み出しが行われ、電源が断になるとデータが消滅するメモリであるＲＡＭ、電気的にデータを消去及び再書き込みでき電源が断になってもデータが消滅しないメモリであるＥＥＰＲＯＭが含まれている。マイコンＱ５は例えばＭＩＣＲＯＣＨＩＰ社のＰＩＣ１６Ｆ８７等が用いられる。
【００７６】
外部電源ＥはダイオードＤ１を介して内部電源であるコンデンサＣ１に電源を与えると共にマイコンＱ５を作動させる。また、外部電源Ｅは増幅器ＡＭＰ（経由してスピーカＳへも）と報知手段であるＧ−ＬＥＤ及びＲ−ＬＥＤにエネルギを与える。外部電源Ｅが外されたとき、マイコンＱ５はコンデンサＣ１由来の電力で作動し、コンデンサＣ１が空になったときはＥＥＰＲＯＭのデータとＲＯＭのプログラムは残るがＲＡＭのデータは消える。
【００７７】
この封印装置３０の動作を図８のフローチャートに従って説明する。
新しく封印装置３０を購入して外部電源Ｅを与えるとプログラムが走行し、Ｓ１でＥＥＰＲＯＭの特定のアドレスに異常発生のデータが記憶されているか否かが判定される。初品であるため異常発生のデータは無いからＳ２へ進み（既に使用されていても異常発生のデータが無ければ同様）、必要なデータの記憶がなされているか否かが判断される。初品であればＳ２で否定判断となってＳ３に進み、実施例１で図１を参照して説明したと同様に、テンキースイッチＴ−ＳＷによる秘数１、秘数２及び音時（警報時間）が入力されると、それぞれを記憶する。必要なデータの記憶がなされていれば（Ｓ２：ＹＥＳ）、Ｓ３はジャンプされる。
【００７８】
スイッチＳＷがオンしなかったとき（Ｓ４：ＮＯ）又はスイッチＳＷがオンしても１０秒以内に秘数１が入力されれば（Ｓ５：ＹＥＳ）Ｓ１に戻る。
スイッチＳＷがオンして１０秒以内に正しい秘数１が入力されなければ（Ｓ５：ＮＯ）、異常発生をＥＥＰＲＯＭに記憶する（Ｓ６）。その後に秘数２が入力されてこれが正しければ（Ｓ７：ＹＥＳ）、Ｓ６でＥＥＰＲＯＭに記憶した異常発生のデータを消去する（Ｓ８）。
【００７９】
一方、秘数２が正しくないときは、秘数２の入力試行回数がｎ回（上限回数）に達したか否かが判定される（Ｓ９）。試行回数がｎ回（上限回数）に達していなければ、Ｓ７〜Ｓ９を繰り返し、試行回数がｎ回（上限回数）に達していれば（Ｓ９：ＹＥＳ）、ＥＥＰＲＯＭの異常発生のデータを消去せずに（Ｓ１０）Ｓ１に戻る。
【００８０】
正しい使用者（本人）は、筐体を開く度に秘数１を入力して異常発生を防げる。この秘数１を入力するのが面倒であれば、筐体を開いたときの秘数１の入力を省き、Ｓ６で異常発生がＥＥＰＲＯＭに記憶されても秘数２を入力せずに異常発生のデータを消去しない（Ｓ７：ＮＯ〜Ｓ９：ＮＯ）という使い方もできる。ただし、警報音は無し（音時＝０）の設定が良い。また、この状態は動作が休止状態であることは注意を要する。常に防犯装置として用いるには、たとえ１桁の秘数１でも毎回入力するのが望ましい。
【００８１】
ＥＥＰＲＯＭに異常発生のデータが記憶されると、次にＳ１で異常発生のデータ有りと判定されＳ１１に進む。Ｓ１１では長時間タイマが＋１され、続くＳ１２では長時間タイマがカウントアップ（長時間タイマに設定されている計測時間を経過した）か否かが判定される。設定時間を経過していれば（Ｓ１２：ＹＥＳ）、ＥＥＰＲＯＭの特定アドレスのデータ（異常発生のデータ）をクリアし（Ｓ１３）、次にＳ１が実行されたときに異常発生なしと判定されるようにする。
【００８２】
なお、長時間とは１２時間とか４８時間とかであり、Ｓ１１の＋１を１μｓ毎（Ｓ１１〜Ｓ１２〜Ｓ１のループの走行時間が１μｓのプログラム）とすれば、１２時間なら１２×３６００×１０６＝４．３２×１０１０回のカウンタが必要で、３３ビットのＲＡＭ領域で達成できる。
【００８３】
上記で長時間とは１２時間とか４８時間とかの固定的な時間で説明したが、
秘数１等の設定と同様の手順で使用者に好都合な時間を設定できる構成とすることも可能である。ただし、この時間を３０分とか１時間とかの比較的短い時間にも設定可能にすると使用者本人が筐体を調べる前に記憶が消えているという事態があり得るので、最低受付可能時間（例えば８時間）のルールをマイコンＱ５のプログラムの中に設ける必要がある。
【００８４】
ところで、侵入者等によって図７の外部電源Ｅが外されたとする。この場合、スピーカＳ、報知手段であるＧ−ＬＥＤ及びＲ−ＬＥＤは内部電源のコンデンサＣ１からの電力供給が無いので停止する。その一方で、内部電源のコンデンサＣ１の負荷はマイコンＱ５だけになるので比較的長い時間の作動が可能であり、Ｓ４〜Ｓ１０を実行できる。また、コンデンサＣ１が完全に空になったとしてもＥＥＰＲＯＭの記憶は保持される。
【００８５】
図８ではＧ−ＬＥＤ、Ｒ−ＬＥＤ及び音出力の説明を省略したが、Ｓ４の前にＧ−ＬＥＤ点灯を、Ｓ６と同時にＲ−ＬＥＤの点灯と音出力を、Ｓ１１の前又はＳ１２との間にＲ−ＬＥＤの点灯と音出力のプログラムを追加すればよい。
電気ノイズによる不正に対しては、マイコンＱ５の外部ＩＮＴ端子にノイズアンテナの信号を与えて、この信号が入力中は割込みプログラムが閉ループを走るようにする（図８（ｂ）に例示したＮＯＰだけでもよい）ことで、図８（ａ）の本来のプログラムを走行しないようにするのが有効である。
【００８６】
実施例２（図７）の封印装置３０は、実施例１（図１）の封印装置１０と比べて明らかに簡単であるが、この両者を実施例として示した理由を説明する。
図７のＥＥＰＲＯＭは電源が断たれても記憶は残る。ただし、前述したようにＬ、Ｈの状態の記憶であるから、火花放電、静電気、Ｘ線、放射線等で記憶を消されるおそれがある。一方、長期記憶素子として実施例１で示したコンデンサＣ２、特には電気２重層コンデンサのように大容量のコンデンサの電荷を記憶として用いる方法は、外部から作用するエネルギ（火花放電、静電気等）が無くなれば元に戻る性質があり、外乱に対する耐性が高い。
【００８７】
すなわち、使用される環境、守るべき対象物の重要度などに応じて、それぞれ適した方法
（構成）を採用すればよいのであり、優劣は決めがたいということである。なお、本発明の長期記憶素子としては実施例で示したコンデンサやＥＥＰＲＯＭに代表されるような、記憶保持に電源を必要としないものが使用される。
【００８８】
なお、封印装置という名称であるが、封印装置が付設されている抽斗は簡単に開けられ家屋もドアからの侵入を許してしまうのに「封印とは？」と思われるかもしれないが、封印とは元々封蝋や封印紙（シール）であり、簡単に破壊可能で錠前としての機能は持たないが、「開ければ証拠が残って判るぞ。」と気持ちに働きかけて開こうとさせないものであるから、本発明の名称も封印装置とした。
【００８９】
以上の説明から、使い勝手を悪くしないで防犯性能を向上させるには（第１の目的）、例えば日中のオフィスや家屋のように出入りが多いときは秘数１を例えば１桁として操作性を高めることでほぼ満足させられる。
さらに使い勝手を良くするには、［音時］、［０］、［実行］のセットで警報音を無くし、異常発生に対して解除操作を行わないままで放置して機能の停止状態とする方法がある。この場合、オフィスでは従業員が帰宅するときに、家庭では外出するときに秘数２で異常を解除した後に秘数１、秘数２、音時を防犯性が高いモードのデータにセットし直すということができる。
【００９０】
すなわち、金庫、書棚、机の抽斗、家屋、オフィス等の防犯に対する要求度合いに応じた使い方が可能なのである。
秘数１を１桁として使い勝手を向上させた場合、制限時間の１０秒以内に秘数１を１０回入力してしまえばよい（その中には正しい秘数１が含まれている）という問題は、秘数１の受付回数に制限を設けることで解消できる。また、上記の各実施例などでは操作性が良好になることを示すために１桁と極端な例を用いたが、「２桁程度の簡単な秘数１」と読み替えてもらえばよい。
【００９１】
また、本発明の封印装置は、付設された扉などを開く毎に短時間（例えば１秒程度）の警報音を発して周囲の注意を引き付けることができるので、例えば中レベルの保安物件に対して本発明の封印装置を付設すれば無施錠でも（又は錠を設けないでも）よくなり、作業能率が向上すると共に防犯意識も向上する。
【００９２】
本発明の封印装置は、まったく同一品と取り替えられても開封行為を発見できるから、本発明の封印装置を装備した筐体を、開封の痕跡を残さずに開封することは論理的には秘数１、秘数２を知るもの以外には不可能である。すなわち、同僚などの内部の人間は、このことを知れば悪意の行動には出ないこととなり、グループ内の規律が向上するというメリットもある。
【００９３】
第２の目的にした、コスト的に高価にならない点に関しては、図１、図７に示す回路は、普通に大量生産されている部品のみで２ｃｍ×２ｃｍの基板内に実現でき、ロッカーなどで広汎に使われているテンキースイッチと表示部を含めても、小型で安価に提供できる。そして、金庫とか特別な家屋だけでなく、広く書棚、机の類にまで利用できる。
【００９４】
また、机の抽斗の例（使用例１）は、オフィスでも家庭でも、各人のプライバシーを守れる封印装置を安価に提供できることを意味しており、その効果はきわめて大きい。
以上、実施例等に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】実施例１の封印装置の回路図。
【図２】テンキースイッチの説明図。
【図３】封印装置が装着される筐体の例示図。
【図４】使用例１における封印装置の動作を説明するためのタイミングチャート。
【図５】封印装置を家屋に装着した例の説明図。
【図６】使用例２における封印装置の動作を説明するためのタイミングチャート。
【図７】実施例２の封印装置の回路図。
【図８】実施例２の封印装置の動作を説明するためのフローチャート。
【符号の説明】
１０・・・封印装置、
１１・・・ケース、
１３・・・机、
１４・・・抽斗、
１７・・・金庫、
１８・・・戸棚、
２０・・・家屋、
３０・・・封印装置、
Ｃ１・・・コンデンサ（内部電源）、
Ｃ２・・・コンデンサ（長期記憶素子）、
Ｅ・・・外部電源、
Ｑ１、Ｑ５・・・マイコン（判定手段、制御手段）、
Ｒ−ＬＥＤ、Ｇ−ＬＥＤ・・・報知手段、
Ｓ・・・スピーカ（報知手段）、
ＳＷ・・・スイッチ（開放信号出力手段、開閉信号出力手段）
Ｔ−ＳＷ・・・テンキースイッチ（暗証を入力する手段）。
【図１】
2005004261.tif 000003
【図２】
2005004261.tif 000004
【図３】
2005004261.tif 000005
【図４】
2005004261.tif 000006
【図５】
2005004261.tif 000007
【図６】
2005004261.tif 000008
【図７】
2005004261.tif 000009
【図８】
2005004261.tif 000010